(57)【要約】【課題】先端工具により被加工材を切断可能な作業機において、切断時に被加工材から跳ね返されたときに、先端工具の外周を自動で覆うことができるようにする。【解決手段】先端工具を取り付け可能な出力軸と、出力軸を回転可能に支持するハウジングと、出力軸に取り付けられた先端工具の外周を覆うようにハウジングに取り付けられる保護カバーを備える。保護カバーは、被加工材の切断が可能となるよう先端工具の外周の一部を露出させる加工位置と、加工位置よりも先端工具の外周を更に覆う保護位置との間で変位可能に構成されており、付勢部材にて、加工位置から保護位置へ変位するように付勢されている。【選択図】図１
2018034291.tif 000002
【特許請求の範囲】
【請求項１】
被加工材を切断するための先端工具を取り付け可能な出力軸と、
前記出力軸を回転可能に支持するハウジングと、
前記出力軸に取り付けられた前記先端工具の外周を覆うように前記ハウジングに取り付けられ、前記被加工材の切断が可能となるよう前記先端工具の外周の一部を露出させる加工位置と、前記加工位置よりも前記先端工具の外周を更に覆う保護位置との間で変位可能に構成された保護カバーと、
前記保護カバーを、前記加工位置から前記保護位置へ変位するように付勢する付勢部材と、
を備えた作業機。
【請求項２】
前記被加工材の切断時に前記被加工材から前記先端工具に加わる反力によって生じる当該作業機の姿勢変化に伴い、初期位置から移動する可動部材と、
前記可動部材が前記初期位置にあるとき、前記保護カバーと係合して前記保護カバーを前記加工位置に保持し、前記可動部材が前記初期位置から移動すると、前記保護カバーとの係合が外れて、前記付勢部材により前記保護カバーを前記保護位置に変位させる係合部材と、
を備えた請求項１に記載の作業機。
【請求項３】
前記可動部材は、当該作業機が所定方向に所定値以上の加速度で移動すると、前記初期位置から移動するよう構成された錘を備えている、請求項２に記載の作業機。
【請求項４】
前記保護カバーは、前記先端工具の外周の一部が露出するように前記先端工具を覆うカバー本体と、前記カバー本体から露出した前記先端工具の外周を覆う補助カバーとを備え、
前記付勢部材は、前記保護位置にて前記補助カバーが前記先端工具の外周を覆うように、前記補助カバーを付勢するよう構成されている請求項１〜請求項３の何れか１項に記載の作業機。
【請求項５】
前記補助カバーは、前記出力軸周りに回動可能に設けられ、
前記付勢部材は、前記保護位置にて前記補助カバーが前記先端工具の外周を覆うように、前記補助カバーを前記出力軸周りに付勢するよう構成されている請求項４に記載の作業機。
【請求項６】
前記補助カバーは、前記出力軸とは異なる回動軸周りに回動可能に設けられ、
前記付勢部材は、前記保護位置にて前記補助カバーが前記先端工具の外周を覆うように、前記補助カバーを、前記回動軸周りに付勢するよう構成されている請求項４に記載の作業機。
【請求項７】
前記補助カバーは前記カバー本体に設けられている、請求項６に記載の作業機。
【請求項８】
前記回動軸は、前記カバー本体において前記先端工具の外周端縁を囲む外枠部分に、前記出力軸と平行になるよう設けられ、
前記カバー本体及び前記補助カバーの少なくとも一方には、前記補助カバーが前記回動軸周りに回動可能な回動領域を規制する規制部が設けられている、請求項７に記載の作業機。
【発明の詳細な説明】
【技術分野】
【０００１】
本開示は、出力軸に取り付けられた先端工具にて被加工材を切断可能な作業機に関する。
【背景技術】
【０００２】
この種の作業機としては、例えば、出力軸として、駆動デバイスにより回転駆動されるスピンドルを備え、スピンドルの先端部分に被加工材を切断するための先端工具を取り付けることで、被加工材の切断加工が可能となるグラインダが知られている。
【０００３】
グラインダには、スピンドルの先端部分を突出させた状態でスピンドルを回転可能に支持するハウジングが備えられており、そのハウジングのスピンドルの突出部分には、先端工具の外周を覆う保護カバーが設けられている（例えば、特許文献１参照）。
【０００４】
保護カバーは、スピンドルに取り付けられた先端工具の回転により被加工材を加工（切断、研削、研磨等）できるように、先端工具の外周の一部を覆い、被加工材の加工領域では先端工具を露出させる形状（一般に、半円形状）になっている。
【先行技術文献】
【特許文献】
【０００５】
【特許文献１】特開２０１３−７８８２３号公報
【発明の概要】
【発明が解決しようとする課題】
【０００６】
上記作業機を使用者が手で持ち被加工材を切断加工する際には、先端工具を回転させて被加工材の切断位置に当接させるが、このとき、被加工材から先端工具に加わる反力によって、作業機が被加工材から跳ね返されること（以下、キックバックともいう）がある。
【０００７】
この場合、作業機は使用者の意図に反して移動することから、先端工具が、被加工材の加工位置とは異なる位置や周囲の部材に当たって、これらの部位を傷付けてしまうとか、先端工具自体が破損する、といったことがある。
【０００８】
本開示の一局面では、先端工具を回転させて被加工材を切断可能な作業機において、切断時に被加工材から加わる反力によって跳ね返されたときに、保護カバーから露出していた先端工具の外周を自動で覆うようにすることが望ましい。
【課題を解決するための手段】
【０００９】
本開示の一局面の作業機は、被加工材を切断するための先端工具を取り付け可能な出力軸と、出力軸を回転可能に支持するハウジングと、出力軸に取り付けられた先端工具の外周を覆うようにハウジングに取り付けられる保護カバーとを備える。
【００１０】
保護カバーは、被加工材の切断が可能となるよう先端工具の外周の一部を露出させる加工位置と、加工位置よりも先端工具の外周を更に覆う保護位置との間で変位可能に構成されている。また、保護カバーは、加工位置から保護位置へ変位するように付勢部材にて付勢されている。
【００１１】
このため、本開示の作業機によれば、被加工材の切断時には、例えば、保護カバーを被加工材若しくは周囲の部材に当接させることで、付勢部材の付勢力に抗して保護カバーを保護位置から加工位置へと変位させて、被加工材を切断できるようになる。
【００１２】
また、被加工材の切断時に、被加工材から先端工具に加わる反力によって作業機が被加工材から跳ね返されたとき（キックバック発生時）には、付勢部材の付勢力により、保護カバーが加工位置から保護位置へ変位する。
【００１３】
このため、キックバック発生時には、被加工材の切断時に保護カバーから露出していた先端工具の外周が、保護カバーによって自動で覆われることになる。従って、本開示の作業機によれば、キックバック発生時に、先端工具が被加工材や周囲の部材に当たって、これらの部位を傷付けたり、先端工具が破損したりするのを抑制できる。
【００１４】
ここで、本開示の一局面の作業機には、被加工材の切断時に被加工材から先端工具に加わる反力によって生じる当該作業機の姿勢変化に伴い初期位置から移動する可動部材と、係合部材が備えられていてもよい。
【００１５】
係合部材は、可動部材が初期位置にあるとき、保護カバーと係合して保護カバーを加工位置に保持し、可動部材が前記初期位置から移動すると、保護カバーとの係合が外れて、付勢部材により保護カバーを保護位置に変位させるためのものである。
【００１６】
このように構成された作業機によれば、キックバック発生時に、可動部材が初期位置から移動し、係合部材と保護カバーとの係合が外れて、保護カバーが、加工位置から保護位置へ変位することになる。
【００１７】
また、可動部材が初期位置にあるときには、係合部材が保護カバーと係合して、保護カバーを加工位置に保持することから、被加工材の切断時には、保護カバーを被加工材や周囲に部材に当接させることなく、保護カバーを加工位置に配置することができる。
【００１８】
なお、可動部材は、当該作業機が所定方向に所定値以上の加速度で移動したときに初期位置から移動するよう構成された錘を備えていてもよい。
一方、保護カバーは、先端工具の外周の一部が露出するように先端工具を覆うカバー本体と、カバー本体から露出した先端工具の外周を覆う補助カバーとを備えていてもよい。この場合、付勢部材は、保護位置にて補助カバーが先端工具の外周を覆うように、補助カバーを付勢するよう構成されていてもよい。
【００１９】
このようにすれば、補助カバーを保護位置から加工位置へと変位させることで、被加工材を切断できるようになり、キックバック発生時には、付勢部材の付勢力にて、補助カバーを自動で保護位置に移動させることができる。
【００２０】
またこの場合、補助カバーは、出力軸周りに回動可能に設けられ、付勢部材は、保護位置にて補助カバーが先端工具の外周を覆うように、補助カバーを出力軸周りに付勢するよう構成されていてもよい。
【００２１】
また、補助カバーは、出力軸とは異なる回動軸周りに回動可能に設けられ、付勢部材は、保護位置にて補助カバーが前記先端工具の外周を覆うように、補助カバーを、回動軸周りに付勢するよう構成されていてもよい。
【００２２】
この場合、補助カバーを、カバー本体に設けるようにすれば、補助カバーは、カバー本体に設けられた回動軸を中心に回動することで、保護位置と加工位置との間で変位することになる。このため、保護位置と加工位置との間で変位可能な保護カバーを、蝶番等を使って極めて簡単に構成できるようになる。
【００２３】
また、補助カバーをカバー本体に設ける場合には、回動軸が、カバー本体において先端工具の外周端縁を囲む外枠部分に出力軸と平行になるよう設けられていてもよい。
この場合、補助カバーは、付勢部材にてカバー本体から離れる方向に付勢されることになるため、カバー本体及び補助カバーの少なくとも一方には、補助カバーが回動軸周りに回動可能な回動領域を規制する規制部が設けられていてもよい。
【図面の簡単な説明】
【００２４】
【図１】第１実施形態のグラインダ全体の構成を表す斜視図である。
【図２】補助カバーが加工位置にあるときのギヤハウジング周囲を表す断面図である。
【図３】補助カバーが加工位置にあるときの保護カバーを表す平面図である。
【図４】保護カバーに設けられた可動部材と係合部材の構成を表す斜視図である。
【図５】補助カバーが保護位置にあるときの保護カバーを表す平面図である。
【図６】補助カバーが保護位置にあるときのギヤハウジング周囲を表す断面図である。
【図７】補助カバーが保護位置にあるときのグラインダ全体の構成を表す斜視図である。
【図８】第２実施形態の保護カバー全体の構成を表す斜視図である。
【図９】補助カバーが保護位置にあるときの保護カバーを表す側面図である。
【図１０】被加工材の切断時に補助カバーを加工位置に変位させている状態を表す側面図である。
【図１１】第２実施形態の保護カバーの変形例を表す斜視図である。
【図１２】第３実施形態の保護カバー全体の構成を表す斜視図である。
【図１３】補助カバーが保護位置にあるときの保護カバーを表す平面図である。
【図１４】補助カバーが加工位置にあるときの保護カバーを表す平面図である。
【発明を実施するための形態】
【００２５】
以下に本開示の実施形態を図面と共に説明する。
［第１実施形態］
図１に示すように、本実施形態のグラインダ２は、モータハウジング４と、ギヤハウジング６と、リヤカバー８と、保護カバー３０とを主体として構成されている。
【００２６】
モータハウジング４は、略円筒形状のハウジングであり、モータを収容している。モータは、回転軸がモータハウジング４の中心軸と一致若しくは平行となるように、モータハウジング４内に収容されており、モータの回転軸の先端はギヤハウジング６側に突出されている。
【００２７】
リヤカバー８は、モータハウジング４の中心軸方向の一端側に設けられており、モータを駆動制御するための制御回路を収容している。制御回路は、電源コード９を介して外部の電源から電力供給を受けて、モータを駆動制御するためのものである。
【００２８】
ギヤハウジング６は、モータハウジング４のリヤカバー８とは反対側に設けられ、図２に示すように、出力軸としてのスピンドル１２を収容している。なお、ギヤハウジング６には、使用者が把持するためのハンドル７が設けられている。
【００２９】
スピンドル１２は、ベアリング１４、１６及び内部ハウジング２０を介して、ギヤハウジング６内に回転自在に設けられている。また、スピンドル１２は、中心軸がモータの回転軸と略直交するように配置されている。このため、スピンドル１２には、モータの回転軸に設けられたベベルギヤと噛み合うことで、モータの回転をスピンドル１２の回転に変換するベベルギヤ１８が設けられている。
【００３０】
スピンドル１２の一端は、内部ハウジング２０（換言すれば、ギヤハウジング６）から外部に突出されおり、その突出部分には、円板状の先端工具１０を位置決め固定するためのインナフランジ２２が設けられている。
【００３１】
また、スピンドル１２のインナフランジ２２よりも更に先端の外周部分には、ロックナット２４を螺合するためのねじ部１２Ａが形成されている。ロックナット２４は、インナフランジ２２との間で先端工具１０を挟持するためのものである。
【００３２】
このように構成されたグラインダ２においては、モータハウジング４の側壁に設けられた操作スイッチ５（図１参照）がオン状態になると、リヤカバー８内の制御回路にてモータが駆動され、そのモータの回転出力がスピンドル１２に伝達される。
【００３３】
このため、ロックナット２４を介して、先端工具１０をスピンドルに固定しておけば、先端工具１０が回転して、研削、研磨、切断等の作業を行うことができる。なお、このようにグラインダ２において用いられる先端工具１０としては、研削砥石、切断刃、ワイヤブラシ等を挙げることができる。
【００３４】
保護カバー３０は、研削、研磨、切断等の作業時に被加工材から飛散する粉塵等から使用者を保護するためのものである。このため、保護カバー３０は、スピンドル１２に固定された先端工具１０の外周の一部（詳しくは略半分）を覆うように構成された半円形状のカバー本体３２を備える。
【００３５】
なお、図２に示す保護カバー３０は、被加工材を切断する際に用いられるものであり、カバー本体３２は、先端工具１０を、外周端縁を含めて両面側から覆うように、断面コの字状に形成されている。
【００３６】
カバー本体３２は、内部ハウジング２０において、スピンドル１２が突出される部分に固定されている。
つまり、内部ハウジング２０において、保護カバー３０を取り付けるための取り付け部位は、スピンドル１２の中心軸と同軸でスピンドル１２を囲むように円筒形状になっている。そして、図３に示すように、カバー本体３２には、その取り付け部位の周囲を囲むように、半円形状の取り付け部３６が設けられている。
【００３７】
また、カバー本体３２の取り付け部３６の周囲には、円環形状の締め付け部材３８が設けられている。この締め付け部材３８は、円環の一部が開放されており、その開放端が、雄ねじ３９とナット４０とで連結されている。
【００３８】
このため、締め付け部材３８は、雄ねじ３９とナット４０とで開放端を締め付けることで、カバー本体３２の取り付け部３６を内部ハウジング２０の取り付け部位との間で挟持し、カバー本体３２を内部ハウジング２０（延いてはギヤハウジング６）に固定できるようになる。
【００３９】
なお、カバー本体３２の取り付け部３６及び締め付け部材３８の内周面には、内部ハウジング２０の取り付け部位の外周面に形成された溝２０Ａに嵌合して、カバー本体３２がスピンドル１２の軸方向に移動するのを阻止する突起２６Ａ、３８Ａが設けられている。
【００４０】
また、カバー本体３２には、カバー本体３２で覆うことのできない先端工具１０の開放領域（換言すれば被加工材の加工領域）を覆うための補助カバー３４が設けられている。補助カバー３４は、カバー本体３２を外側から覆い、スピンドル１２を中心としてカバー本体３２の外周に沿って移動できるように、断面がカバー本体３２を外側から囲むコの字状になっている（図４参照）。
【００４１】
そして、補助カバー３４は、被加工材を加工する際には、図３に示すように、外周端縁一端側に設けられた突起３５がカバー本体３２に固定された係合部材６０の爪６４に係合されることで、全体がカバー本体３２と重なる加工位置に位置決めされる。
【００４２】
図２に示すように、係合部材６０は、カバー本体３２の外周端縁に略平行で爪６４が設けられる片６０Ａと、先端工具１０の板面に略平行に配置される片６０Ｂとにより、断面Ｌ字状になっている。そして、係合部材６０は、各片６０Ａ、６０Ｂの連結部分である角部を、カバー本体３２に設けられた支持軸６２に固定することで、カバー本体３２に固定されている。
【００４３】
図３、図４に示すように、支持軸６２は、カバー本体３２の外周端縁に沿って設けられており、係合部材６０は、支持軸６２を中心に回動可能である。そして、係合部材６０は、支持軸６２に設けられたばねによって、爪６４がカバー本体３２の外周端縁から離れる方向に付勢されている。
【００４４】
また、補助カバー３４が加工位置にあるとき、係合部材６０の片６０Ｂとカバー本体３２との間には、可動部材５０を構成する錘５２（図４参照）が配置され、この錘５２によって、係合部材６０の爪６４が補助カバー３４の突起３５に係合した状態に保持される。
【００４５】
可動部材５０は、錘５２がカバー本体３２と係合部材６０の片６０Ｂとの間に挟まれることにより生じる所定の静止摩擦力にて、補助カバー３４を加工位置に保持する初期位置に位置決めされる。そして、錘５２に、その静止摩擦力よりも大きい加速度が加わると、可動部材５０は、初期位置から移動する。
【００４６】
可動部材５０（換言すれば錘５２）が初期位置から移動すると、係合部材６０の爪６４と補助カバー３４の突起３５との係合が外れ、補助カバー３４が、スピンドル１２を中心とするカバー本体３２の外周端縁に沿って変位できるようになる。つまり、補助カバー３４は、カバー本体３２と重なる加工位置から、一部がカバー本体３２から突出されて先端工具１０を覆う保護位置へと変位できるようになる。
【００４７】
また、可動部材５０は、カバー本体３２の径方向に延びる腕部４８を介して、カバー本体３２の取り付け部３６と締め付け部材３８との間の隙間４２に摺動可能に設けられた摺動部材４４に連結されている。
【００４８】
摺動部材４４は、隙間４２に設けられたテンションスプリング４６により、可動部材５０が係合部材６０とは反対側に変位する方向に付勢されている。そして、補助カバー３４は、可動部材５０が係合部材６０とは反対側に変位した際、可動部材５０の係合部材６０とは反対側が当接されて、可動部材５０と共に変位する。
【００４９】
このように構成された本実施形態のグラインダ２によれば、切断用の先端工具１０にて被加工材を切断する際には、使用者は、まず、テンションスプリング４６の付勢力に抗して、補助カバー３４をカバー本体３２に重なる方向に移動させる。
【００５０】
このようにすれば、可動部材５０がカバー本体３２と係合部材６０の片６０Ｂとの間に入り、補助カバー３４の突起３５が係合部材６０の爪６４と係合して、補助カバー３４を、先端工具１０にて被加工材を切断可能な加工位置に配置できる。
【００５１】
次に、使用者は、操作スイッチ５をオン状態に操作して、モータにより先端工具１０を回転させ、先端工具１０を被加工材の切断位置に当接させる。このようにすれば、先端工具１０を使って、被加工材を切断できるようになる。
【００５２】
ところで、このように切断用の先端工具１０を被加工材に当接した際には、被加工材から先端工具１０に加わる反力によって、グラインダ２が被加工材から跳ね返されることがある。
【００５３】
このように跳ね返り（キックバック）が発生した際には、グラインダ２、特に、先端工具１０が取り付けられるギヤハウジング６が大きく動く。そして、この動きによって、可動部材５０の錘５２にスピンドル１２を中心とする円弧方向の加速度が加わると、錘５２が初期位置から移動する。
【００５４】
また、このように錘５２が初期位置から移動すれば、図６に示すように、カバー本体３２と係合部材６０の片６０Ｂとの間の可動部材５０がなくなるので、係合部材６０が支持軸６２を中心に回動して、突起３５と爪６４との係合が外れる。
【００５５】
このため、被加工材の加工時にキックバックが発生した際には、付勢部材としてのテンションスプリング４６の付勢力により、補助カバー３４が、可動部材５０と一緒に、図３に示した加工位置から、図５に示す保護位置へと変位する。
【００５６】
従って、図７に示すように、キックバックの発生時には、カバー本体３２だけでは覆うことのできない先端工具１０の開放領域（換言すれば被加工材の加工領域）を、補助カバー３４にて自動で覆うことができるようになる。
【００５７】
よって、本実施形態のグラインダ２によれば、キックバック発生時に、先端工具１０が被加工材や周囲の部材に当たって、これらの部位を傷付けたり、先端工具１０が破損したりするのを抑制できる。
［第２実施形態］
次に、本開示の第２実施形態として、上記実施形態と同様のグラインダ２に取り付けられる保護カバー３０Ａについて説明する。
【００５８】
図８に示すように、本実施形態の保護カバー３０Ａは、上記実施形態と同様、締め付け部材３８を介してグラインダ２のギヤハウジング６（詳しくは内部ハウジング２０）に取り付け可能な取り付け部３６を有するカバー本体３２と、補助カバー３４Ａを備える。
【００５９】
補助カバー３４Ａは、カバー本体３２では覆うことのできない先端工具１０の開放領域（換言すれば被加工材の加工領域）の略全域を覆うことができるように、カバー本体３２と同様の半円形状になっている。補助カバー３４Ａは、カバー本体３２のギヤハウジング６とは反対側の板面に、一対の蝶番７１，７２を介して取り付けられる。
【００６０】
蝶番７１，７２は、カバー本体３２において先端工具１０が突出される開放端側で、先端工具１０が取り付けられるスピンドル１２の先端部分に対向する中心部分を挟むように、所定の間隔を空けて配置されている。そして、補助カバー３４Ａは、蝶番７１，７２を介して、カバー本体３２の開放端部分を開閉可能に固定されている。
【００６１】
このため、補助カバー３４Ａは、カバー本体３２をギヤハウジング６に取り付けた際には、蝶番７１、７２の回動軸を中心に回動させることで、先端工具１０に対し接離可能である。なお、補助カバー３４Ａは、先端工具１０に接近させてその開放領域を覆う際に、先端工具１０に当たることのないよう、ギヤハウジング６側が開放されている。
【００６２】
また、蝶番７１，７２の回動軸には、補助カバー３４Ａを、先端工具１０を覆う保護位置方向に付勢するトーションスプリング７３，７４が設けられている。このため、補助カバー３４Ａは、通常、図９に示すように、付勢部材であるトーションスプリング７３，７４の付勢力により、カバー本体３２の開放端に当接されて、先端工具１０の開放領域を覆う保護位置に配置されることになる。
【００６３】
このように構成された保護カバー３０Ａは、グラインダ２に取り付け、被加工材の切断作業を実施する際には、補助カバー３４Ａのカバー本体３２とは反対側端部を被加工材に当接して、被加工材を切断可能な加工位置まで補助カバー３４Ａを回動させればよい。
【００６４】
一方、このように補助カバー３４Ａを回動させるには、被加工材に対し補助カバー３４Ａの当接部位を滑らせる必要があるが、補助カバー３４Ａの外周端縁の形状によっては、上手く滑らず、補助カバー３４Ａを手で回動させなければならないことが考えられる。
【００６５】
そこで、本実施形態では、補助カバー３４Ａのカバー本体３２とは反対側端部に、ローラ７８を設け、被加工材の切断作業を実施する際には、図９に示すように、このローラ７８を一点鎖線で示す被加工材に当接できるようになっている。
【００６６】
また、ローラ７８は、その回転軸両端が、補助カバー３４Ａのカバー本体３２とは反対側端部に補助カバー３４Ａの外周端縁に沿って間隔を空けて突出された一対の支持部７５，７６に、回転自在に支持されている。
【００６７】
このため、被加工材の切断時には、使用者は、ローラ７８を被加工材に当接して、グラインダ２を被加工材に押し付けることで、図１０に矢印で示すように、補助カバー３４Ａを保護位置から加工位置へと変位させることができる。
【００６８】
そして、被加工材の切断時に、キックバックが発生して、グラインダ２が被加工材から跳ね返された場合には、トーションスプリング７３、７４の付勢力により、補助カバー３４Ａが図９に示す保護位置に戻される。
【００６９】
よって、グラインダ２に本実施形態の保護カバー３０Ａを設けるようにしても、キックバック発生時には、補助カバー３４Ａにて先端工具１０の開放領域を自動で覆うことができるようになり、上記実施形態と同様の効果を得ることができる。
【００７０】
また、本実施形態の保護カバー３０Ａは、キックバック発生時に補助カバー３４Ａを保護位置に移動させるために、上記実施形態のように、キックバック検出用の可動部材５０や補助カバー３４を加工位置に位置決めする係合部材６０を設ける必要がない。このため、本実施形態によれば、上記実施形態に比べて保護カバー３０Ａの構成を簡単にすることができる。
【００７１】
なお、補助カバー３４Ａには、必ずしもローラ７８を設ける必要はなく、図１１に示すように、ローラ７８のない補助カバー３４Ｂを使って、保護カバー３０Ｂを構成してもよい。この場合、補助カバー３４Ｂには、ローラ７８を支持する支持部７５，７６を設ける必要がないので、保護カバー３０Ｂの構成をより簡単にすることができる。
［第３実施形態］
次に、本開示の第２実施形態として、上記実施形態と同様のグラインダ２に取り付けられる保護カバー３０Ｃについて説明する。
【００７２】
図１２に示すように、本実施形態の保護カバー３０Ｃは、上記各実施形態と同様に構成された半円形状のカバー本体３２と、補助カバー３４Ｃを備える。
補助カバー３４Ｃは、カバー本体３２において先端工具１０の外周端縁を囲む外枠部分の一端に設けられた回動軸８４を介して、カバー本体３２に回動可能に取り付けられている。
【００７３】
この回動軸８４は、保護カバー３０Ｃをグラインダ２に取り付けた際にスピンドル１２と平行になるよう、カバー本体３２において先端工具１０の表裏面に対向する板面から突出された一対の支持片８２（図では一方の支持片を示す）に支持されている。
【００７４】
また、回動軸８４には、補助カバー３４Ｃの回動軸８４とは反対側をカバー本体３２の開放端側から突出させる方向に付勢することで、補助カバー３４Ｃを図１３に示す保護位置に配置するためのトーションスプリング（図示せず）が設けられている。
【００７５】
補助カバー３４Ｃは、保護位置に配置されているとき、回動軸８４から、スピンドル１２の先端部分に対向する中心部分を通って、カバー本体３２の外枠部分の他端に至る領域で、カバー本体３２を囲むように構成されている。
【００７６】
また、補助カバー３４Ｃにおいて、中心部分から回動軸８４とは反対側では、ギヤハウジング６とは反対側で先端工具１０と対向する板面の幅が、回動軸８４側よりも広くなっている。
【００７７】
これは、補助カバー３４Ｃが保護位置に配置されているとき、幅広になった板面と先端工具１０の外周端縁に対向する外枠とで、カバー本体３２から突出された先端工具１０の外周を覆うことができるようにするためである。
【００７８】
また、補助カバー３４Ｃの幅広部分で、カバー本体３２から先端工具１０を覆うように突出される板面の端縁８６は、曲線形状になっている。これは、被加工材の切断時に被加工材を当接することで、補助カバー３４Ｃを、トーションスプリングの付勢力に抗してカバー本体３２側にスムーズに移動させることができるようにするためである。
【００７９】
また、カバー本体３２及び補助カバー３４Ｃには、補助カバー３４Ｃを保護位置に位置決めし、且つ、補助カバー３４Ｃを保護位置から図１４に示す待避位置まで変位させる規制部３３、８８が設けられている。
【００８０】
なお、図１４に示す待避位置では、補助カバー３４Ｃにおいて先端工具１０を覆うための幅広部分の略全域がカバー本体３２側に移動しており、本実施形態では、保護位置から待避位置までの任意の位置が、被加工材の加工位置となる。
【００８１】
カバー本体３２側の規制部３３は、カバー本体３２の開口端近傍で板面から突出された突片にて構成されている。また、補助カバー３４Ｃ側の規制部８８は、カバー本体３２の規制部３３（つまり突片）が挿入されて、保護位置又は加工位置にて規制部３３が当接されることにより、補助カバー３４Ｃの回動軸８４周りの回動領域を規制する、円弧形状の長孔にて構成されている。
【００８２】
このように構成された保護カバー３０Ｃによれば、第２実施形態の保護カバー３０Ａと同様、通常は、トーションスプリングの付勢力により、補助カバー３４Ｃが、先端工具１０を保護する保護位置に配置される。そして、被加工材の切断作業を実施する際には、被加工材を補助カバー３４Ｃに当接させることで、補助カバー３４Ｃを所望の加工位置へと移動させることができる。
【００８３】
また、被加工材の切断時に、キックバックが発生して、グラインダ２が被加工材から跳ね返された場合には、回動軸８４に設けられたトーションスプリングの付勢力により、補助カバー３４Ｃが図１３に示す保護位置に戻される。
【００８４】
よって、グラインダ２に本実施形態の保護カバー３０Ｃを設けるようにしても、キックバック発生時には、補助カバー３４Ｃにて先端工具１０の開放領域を自動で覆うことができるようになり、上記実施形態と同様の効果を得ることができる。
【００８５】
以上、本開示の実施形態について説明したが、本開示の作業機は、上記実施形態に限定されるものではなく、種々の態様をとることができる。
例えば、第２、第３実施形態では、補助カバー３４Ａ〜３４Ｃは、通常、トーションスプリングの付勢力にて保護位置に配置されるものとして説明したが、第１実施形のように可動部材及び係合部材を設けることで、所定の待避位置に保持できるようにしてもよい。
【００８６】
このようにすれば、被加工材の切断時に、被加工材を補助カバー３４Ａ〜３４Ｃに当接させて所望の加工位置に移動させる必要がないので、切断時の作業性を向上することができる。
【００８７】
また、上記各実施形態では、保護カバー３０，３０Ａ〜３０Ｃは、カバー本体３２と補助カバー３４，３４Ａ〜３４Ｃとにより構成されるものとして説明した。これに対し、保護カバーは、先端工具１０の全域若しくは略全域を覆うように構成し、保護カバー全体を保護位置と加工位置との間で移動させるようにしてもよい。
【００８８】
また、上記実施形態では、本開示の作業機として、グラインダ２を例にとり説明したが、本開示は、出力軸の回転により、被加工材を切断するための先端工具（切断刃等）を駆動するものであれば適用でき、例えば、マルノコであってもよい。
【００８９】
また、上記実施形態では、出力軸をモータにより駆動する電動グラインダ（換言すれば電動作業機）について説明したが、本開示は、圧縮空気或いは内燃機関によって出力軸を駆動する作業機であっても、上記実施形態と同様に適用できる。
【００９０】
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００９１】
２…グラインダ、４…モータハウジング、５…操作スイッチ、６…ギヤハウジング、１０…先端工具、１２…スピンドル、１８…ベベルギヤ、２０…内部ハウジング、２２…インナフランジ、２４…ロックナット、３０，３０Ａ，３０Ｂ，３０Ｃ…保護カバー、３２…カバー本体、３４，３４Ａ，３４Ｂ，３４Ｃ…補助カバー、３５…突起、３６…取り付け部、３８…締め付け部材、４２…隙間、４４…摺動部材、４６…テンションスプリング、４８…腕部、５０…可動部材、５２…錘、６０…係合部材、６２…支持軸、６４…爪、７１，７２…蝶番、７３，７４…トーションスプリング、７５，７６…支持部、７８…ローラ、８２…支持片、８４…回動軸、３３，８８…規制部。
【図１】
2018034291.tif 000003
【図２】
2018034291.tif 000004
【図３】
2018034291.tif 000005
【図４】
2018034291.tif 000006
【図５】
2018034291.tif 000007
【図６】
2018034291.tif 000008
【図７】
2018034291.tif 000009
【図８】
2018034291.tif 000010
【図９】
2018034291.tif 000011
【図１０】
2018034291.tif 000012
【図１１】
2018034291.tif 000013
【図１２】
2018034291.tif 000014
【図１３】
2018034291.tif 000015
【図１４】
2018034291.tif 000016